(57)【要約】【課題】今まで当たり前のように着物を着用する為に和装下着を着用してきたが、着用後は、着物の衿元から少し見えるだけである。しかし、着物の衿元の土台として一番目立つ位置に見えるので、和装下着の衿元に美しい張りを継続する為の衿芯や、和装下着の地衿の開発はもとより、着付け方法や仕立てに至るまで色々な解決方法が考えられてきたが、その反面、着用者に窮屈で痛い、季節に反して暑い、寒い等の苦痛を強いてきた。【解決手段】和装下着を着用しないで、和装下着の地衿と同じ形状の代替えの付け衿を洋服の下着の上から簡単に装着するだけで、あたかも和装下着を着ているように見え、尚且つ、その衿山部分が美しい張りと衿合わせの状態が継続出来、後ろ姿の要となる衿抜きの状態も固定される事で着崩れの心配がない和装下着の地衿と同じバチ衿型形状の付け衿を提供する。【選択図】図７
2020063524.tif 000002
【特許請求の範囲】
【請求項１】
和服を着用時に和服の衿元から衿山線部分（１c）が見える和装下着（１y）の衿（１）とバチ衿型形状の付け衿（２）とが同じ形状であって、前記付け衿（２）の表（３）裏（４）の両面が同じ形状であることを特徴とするバチ衿型形状の付け衿（２）。
【請求項２】
前記付け衿は、地衿（２a）と掛け衿（２b）とで構成されており、前記表（３）と前記裏（４）の両面を、衿山線（２c）と平行に均一幅で縫着していることを特徴とする請求項１記載の付け衿。
【請求項３】
前記付け衿（２）において、前記付け衿（２）がバチ衿型に縫着された線上（２f）に、左右の衿を重ね合わせて固定する為の紐（２i ，２j）が縫着されていることを特徴とする請求項１および請求項２記載の付け衿。
【請求項４】
前記付け衿（２）において、衿の背中心（２x）から左右の衿肩周り（２m ，２n）に至る幅で、衿抜き布（２k ）が縫着され、前記表（３）の衿抜き固定紐（３l）は背中心（３x）の延長線上に設けられ、前記裏（４）の衿抜き固定紐（４l）は左右の衿肩周り（４m ，４n）の延長線上にそれぞれが縫着されていることを特徴とする請求項１から請求項３記載の付け衿。
【発明の詳細な説明】
【技術分野】
【０００１】
本発明は、和服を着用時に和服の衿元から衿山線上部分（１c）が見える和装下着（１y）の代替えの付け衿（２）であり、和装下着（１y）の地衿（１）と同型のバチ衿型形状で、その衿の表（３）裏（４）の両面は地衿（２a）と掛け衿（２b）が重なった状態で、表（3）裏（4）の両面の掛け衿部分（２b）においては衿山線（２c）と平行に均一幅で縫着されており、尚且つ、衿縫い合わせ線上（２f）の左右の衿肩明き（２m ，２n）に至る幅で衿抜き布（２k）が縫着され、又、衿抜き布（２k）の表（３）裏（４）にそれぞれの位置に衿抜き固定紐（２l）が縫着されており、より確実な衿合わせの為に衿縫い合わせ線上（２f）に複数の衿合わせ固定紐（２I、２j）が縫着されている和装下着（１y）の代替えの付け衿（２）に関する。
【背景技術】
【０００２】
近年の和装業界はレンタル着物を抜きには成立出来ない状態である。成人式の振袖、卒業式の袴姿等の行事はもとより。京都や浅草等の観光地、インスタ映えするレストランなどで見かける着物姿もレンタル着物が８割近い割合を占めている。そして、街着として和装を楽しんでいるのは主にインバウンドの外国人観光客やインスタ映えといわれる写真撮影の目的の若者達である。
【０００３】
しかしながら、若者は和服をイベントのコスチュームとして着るだけで、着慣れていない。又、外国人観光客は文化や習慣が違うので、いざ和服を体験しようとすると、想像もしてなかった沢山の問題や苦労があり、着用後に「着物は好きだけれど、こんなに辛いなら体験は１度で良い」とのデーターが出ている。確かに着物は重ね着なので、かさばって身動きが取りにくく、行動も限られてくる。そして冬は寒く、夏は暑い。特に和装下着は肌に近い部分で着付け用の紐を締め上げるので苦しくて痛い。ゆえに、衿元しか見えない和装下着を着ないことで、多くの悩みは解決できる。
【０００４】
しかし、着物文化では、着物の衿元から和装下着の衿が見えるのは必要最低な決まり事であるので、浴衣などの特別な着物以外は和装下着の衿元無しには着物は着用を出来ない。そして、着物姿を美しく見せる為には和装下着の衿元部分は着物の衿元の土台となるので必要であると同時に影響が大きく、下着であるにも関わらず、顔の真下にあり一番目立つ衿元の土台なので、一番下に着付けている為、着付けが終わった後では、直す事が出来ない。ゆえに、着付けにも大変気を使い、熟練の技術を要する部分である。
【０００５】
この様な問題を解決する為に、和服を着用時に和服の衿元から衿山線上部分（１c）
が見える和装下着（１y）に理想的な衿元を継続するための衿芯（）
や地衿の考案がなされてきた。例えば特許文献１のバチ衿型形状の衿芯、特許文献２の装下着の衿がある。
【先行技術文献】
【特許文献】
【０００６】
【特許文献１】特許第４９７９０２８号  バチ衿型形状の衿芯
【特許文献２】実用新案登録３１５８６４５号    和装下着の衿
【発明の概要】
【発明が解決しようとする課題】
【０００７】
特許文献１には、和装下着（１y）のバチ衿型形状の地衿（１）に挿入した衿芯（６）が、バチ衿型形状の地衿（１）の衿山線（１c）と平行に均一幅で縫着しての衿幅より広い状態に裾広がりに広がっているので、衿元では地衿（１）の中で衿芯（６）が幅移動してしまい、和装下着（１y）の衿山線上（８c）の美しい張りが継続できずに着崩れてしまうという問題を解決する為に、和装下着（１y）と同じ形状のバチ衿型形状の衿芯（８）の発明が開示されている。左右の半衿のえり先部分（８e , 8 f ）から挿入して、背中心（8x）を通過して、相反する衿肩周り（8m , 8n）で重なるという発明で、衿山線（１c）から衿芯（６）がずり落ちて生じる緩みや着崩れを防止できるのだが、特別な衿芯を使用しないといけない事や、やはり和装下着を着用しての衿部分だけの改善であり、和装下着（１y）を着付ける時の根本的な解決にはならない。
【０００８】
又、特許文献２は和装下着（１y）の衿（１）の構造を、通常の衿芯（６）も使用できるので、大変便利なようであるが、衿構造だけの改善であり、和装下着を着付ける時の根本的な着付けの問題にまで及んでいない。衿抜きの固定、衿合わせの分量や継続性は、衿
元の張り以上に着姿に影響を及ぼす。何よりやはり、和装下着（１y）を着用する時の苦しさや、痛さを軽減したりなくする為の解決策が何も提示されていない。
【０００９】
本発明は前記のような課題に鑑み、その課題を解決すべく創案されたものであって、その 目的とするところは、和装下着（１y）を着用していないにも関わらず、簡単に装着するだけで和服の衿元から和装下着（１y）の衿山線上部分（１c）が見える形態が作れるバチ衿型形状の付け衿（２）であって、衿自体が独立しているので代替えする事が出来、和服の衿の土台となる硬さを有し、尚且つ美しい衿合わせの形状が継続でき、又、本来の和装下着と比べて簡単に着用が可能で、動き易い上に体型や使用目的を考慮した衿抜きの状態が維持できる和装下着のバチ衿型形状の地衿（１）の代替えとなるバチ衿型形状の付け衿（２）の発明を目的としている。
【課題を解決するための手段】
【００１０】
本発明においては、通常の和装下着（１y）の身頃に逢着されているバチ衿型形状の地衿（１）をバチ衿型形状の付け衿（２）として身頃に縫着しないで、衿縫い合わせ線（２f）で表（３）裏（４）の両面を縫着して単体で完成品とした物品であり、和装下着の衿（１）と同じバチ衿型の形状である。そして、付け衿の地衿（２a）に半衿状の掛け衿（2b）を衿山線（２c）と平行で均一な位置に表（３）裏（４）両面の地衿（２a）と掛け衿（2b）の合計４枚を一緒に縫着して衿止め線（２d）とする。
本発明は、その背中心（2x）から衿の左右の衿肩周り（2m ,2n ）に至る幅で衿抜き布（2k）が逢着し、片面の衿抜き固定用の紐（3l）は背中心線上（3x）に設けられ、もう一面の衿抜き固定用の紐（4l）は左右の衿肩周りの延長上（4m , 4n）にそれぞれが縫着されている。又、衿縫い合わせ線上（２f）には背中心（２x）から左右の同位置で衿合せをした交差点に紐（２i , 2j ）を縫着する。
【発明の効果】
【００１１】
本発明においては、通常の和装下着の身頃に縫着されているバチ衿型形状の地衿（１）をバチ衿型形状の付け衿（２）として単体で完成品としたので、同じバチ衿型形状である。本発明のバチ衿型形状の付け衿（２）とは、着物の衿元を作る為の土台とな                                                      
る和装下着（１）の代替え衿として使用するので、和装下着（１y）を着る必要が無い。和装下着とバチ衿型形状の地衿（１）を、同型のバチ衿型形状の付け衿（２）としてそのまま完成型として独立させた付け衿であり、身頃の部分が存在しない単体なので、表（３）裏（４）の定理がなく表裏の両面が使用出来る。
その上、バチ衿型形状の付け衿（２）の地衿に半衿状の掛け衿（２b）を衿付け線上（２f）に沿って縫着し、地衿（２a）と掛け衿（2b）の表裏で合計４枚を衿山線（2c）と平行に衿芯止め線（２d）で逢着しているので、衿芯（６）が幅移動せずにシワが生じないので、衿山線（２c）は張りと適度な硬さを有した、美しいバチ衿型形状の付け衿（２）を形成出来る。よって、顔のすぐ下にあり一番目立つ衿元が時間経過をしても着崩れないので美しい形状を維持できる。
【００１２】
その上、衿芯止め線（２d）は掛け衿先部分（２h）の縫い目がカーブして誘導線となっているのでスムーズに衿芯（６）の出し入れができる。よって、衿芯を挿入する時に衿芯が衿芯止め線（２d）に当たって破損する、縫い目がほつれ易い等のトラブルを避けることが出来る。
【００１３】
何より、和装下着（１y）のように身頃がなく単体で完成された衿であり、その衿本体の部分は表（３）裏（４）が同じ形状なので、それぞれの面に衿芯を挿入して両面の使用が可能である。つまり、一面が汚れても、そのまま裏返してもう片方の使用が可能なので洗濯や半衿の付け直しが半分の回数で済み、時間や労力が半分で済むという利点がある。
【００１４】
何より、和装下着（１y）の身頃に逢着されてないので、着用者の体格や着物のサイズに左右されずに簡単に装着して衿合せが出来る。又、従来の和装下着（１y）では衿合わせが不確定で衿元が開いて着崩れるので、解決方法としては腕の付け根部分の脇に合わせた高さで胸元を伊達締めや腰紐できつく締めあげることで、衿合わせを固定していた。着用者は息苦しい上に体の動きも制限されるという着用者に負担を強いる着付け方法であった。
【００１５】
このバチ衿型形状の付け衿（２）には胸の大きさや首の太さ等の体型に合わせた美しい衿合わせを維持する為に、衿合わせ固定の紐（２i ，2j）を胸元の位置で数カ所を衿付け線上に逢着しているので、体型や着用目的に合わせて結ぶだけで左右均一で理想的な衿      
合わせの状態が早く確実に固定できる。よって着付け技術の熟練度に関わらず、簡単で楽に作業が出来るという効果がある。
【００１６】
さらに、バチ衿型形状の付け衿（2）の衿中心（2x）から左右の衿肩周り（２m ，２n）に至る幅で衿抜き布（2k）が縫着されていて、表（３）には従来の和装下着に見られる様な１本の衿抜き固定の紐（３l）が衿の中心線（３x）上に逢着されている。そして、裏（４）は、左右の衿肩周り（２m ，２n）の延長上に２本が逢着されている。
【００１７】
衿の中心線上（３x）に設けられている１本の衿抜き固定の紐（３l）は普通の体格用で、衿抜きの状態は首の後ろ中心の位置で衿抜き固定用の紐（３l）を下に引き下げることで鋭角気味に確定され、首の真横に沿った状態で身体の前で衿合わせをする。そして、裏（４l）は、ふくよかな体型や、首の短い体型用で、衿抜きは首の後方で左右の衿肩周り（４m ，４n）の位置で２本の衿抜き固定用の紐（４l）で楕円形に確定され、首を少し離れてゆったりと沿った状態で身体の前で衿合わせとなる。
【００１８】
通常の和装下着（1y）に設けられている衿抜き固定の紐（１l）は１本であり、衿芯（６）が挿入された硬い衿が首の横を沿った状態で着用していると、首に衿芯が食い込み、擦り切れた状態になる事が多かったが、本発明のバチ衿型形状の付け衿（２）は体型を考慮し衿抜きや衿合わせの使い分けが出来る。又、和服は着用目的や年齢を考慮して衿抜きの量や状態を変化させる習慣があるが、臨機応変に対応できる。
【００１９】
そして、近年、和装が敬遠されてきたのには、何枚も重ねて着るので窮屈で動きにくい上に、夏は暑苦しいし、冬は寒いという理由も大きい。しかし、本発明のバチ衿型形状の付け衿（２）は、従来の和装下着（１y）の衿本体の形状を付け衿として完成させた物品であるので、着物の下に和装下着（１y）を着用しなくても、季節に応じてTシャツやヒートテックの上にバチ衿型形状の付け衿（２）を装着するだけで簡単に和服を着用することが可能になりを楽しめる。
【図面の簡単な説明】
【００２０】
【図１】従来のバチ衿型地衿（１）の着用図である。
【図２】本発明のバチ衿型形状の付け衿（２）の着用姿である。
【図３】従来の衿芯（６）の全体図である。
【図４】和装下着（１y）のバチ衿型形状の衿（１）に衿芯（６）を挿入し、時間経過した着姿である。
【図５】本発明のバチ衿型形状の付け衿（２）に衿芯（６）を挿入し、時間経過した着姿である。
【図６】本発明のバチ衿型形状の付け衿（２）の全体図である。
【図７】本発明のバチ衿型形状の付け衿（２）に従来の衿芯（６）を挿入した図である。
【図８】本発明のバチ衿型形状の付け衿（２）の衿芯止め線（２d）の縫い止まりである掛け衿先部分（２h）の色々な縫い方の例である。
【図９】本発明のバチ衿型形状の付け衿（２）掛け衿の先端部分（２e）の衿芯止め線（２d）の掛け衿先端部（２e）の縫い止め部分（2g）である。
【図１０】本発明のバチ衿型形状の付け衿（２）の表（３）の展開図である
【図１１】本発明のバチ衿型形状の付け衿（２）の裏（４）の展開図である。
【図１２】本発明のバチ衿型形状の付け衿（２）の表（３）の背中心（３x）の延長上にある、１箇所の衿抜き固定紐（３l）を使用した場合の普通の体格の人の後ろ姿である。
【図１３】本発明のバチ衿型形状の付け衿（２）の表（４）の衿肩周り（４n，４m）の延長線上にある、２箇所の衿抜き固定紐（３l）を使用した場合のふくよかな方の後ろ姿である。
【図１４】本発明のバチ衿型形状の付け衿（２）の表（３）を使用した着用姿である。
【図１５】本発明のバチ衿型形状の付け衿（２）の裏（４）を使用した着用姿である。
【図１６】本発明のバチ衿型形状の付け衿（３）の衿合わせ固定紐（２i）使用の普通の体型の人の使用方法である。
【図１７】本発明のバチ衿型形状の付け衿（４）の衿合わせ固定紐（２j）使用の太った体型の人の使用方法の説明図である。
【図１８】特許文献1の発明のバチ衿型形状の衿芯である。
【図１９】特許文献１の発明のバチ衿型形状の衿芯を和装下着に挿入した着姿である。
【図２０】特許文献１の発明のバチ衿型形状の衿芯を和装下着の衿に挿入した衿構造である。
【図２１】特許文献２の発明の和装下着の衿の裏側の構造である。
【図２２】特許文献２の発明の和装下着の衿の表側の構造である
【図２３】特許文献２の発明の和装下着の衿に従来の衿芯を挿入した裏側の構造である。
【発明を実施するための形態】
【００２１】
本発明のバチ衿型形状の付け衿（２）とは、着物の衿元を作る為の土台となる和装下着（１y）の衿の代替えとして使用するので、洋服の上にそのまま装着すれば和装下着（１y）を着る必要が無い。和装下着（１y）のバチ衿型形状の地衿（１）と同型のバチ衿型形状の付け衿（２）としてそのまま衿の部分だけを完成型として独立させた付け衿（２）であり、身頃の部分が存在しない単体なので、表裏の定理がなく表（３）裏（４）の両面の使用が可能である。
【００２２】
又、生地については表（３）裏（４）の両面を使用するので、２倍の頻度に対応できる耐久性があり、尚且、洗濯してもシワが生じにくくアイロンを掛ける必要のないポリエステル・レーヨン・ナイロンなどが適切である。地衿（２a）としての生地の存在感や適度な厚みを考慮すると、ポリエステルが最適である。
【００２３】
バチ衿型形状の付け衿（２）の全長は従来の和装下着の衿（１）より少し長めにして、衿抜き布（２k）の衿抜き固定紐（２l）から前に回して身体の前で結ぶ腰紐（５）に衿先（２p）を絡めておくと、衿合わせが一層固定出来るし、衿先（２p）を下に垂らしておく場合も日常の動作で少し緩んだ衿合わせを補正する時に、着物の裾から前身頃で下に引き下げることが簡単に出来る。通常の和装下着の衿の長さは背中心（２x）から衿先（２p）で、７０cm〜７５cmであるが、腰紐（５）に絡めやすい長さとしては７８cm〜８２cmが最適である。
【００２４】
又、本発明のバチ衿型形状の付け衿（２）の寸法は従来の和装下着の衿（１）と寸法や形状が同じなので、付け衿の背中心（１x）の衿幅（１z）は和装下着の衿（１）が着物の衿から出ない４．３cm〜５・４cmであり、より最適なのは挿入する衿芯（６）の最大幅を考えると４．５cm〜５・２cmである。
そして、衿先の幅（２p）は、やはり和装下着の衿（１）と同様の６．５cm〜７・５cmが好ましく、和装下着のバチ衿型形状の地衿（１a）より長さが長いので、少し広い幅の７．２cm〜７・９cmがより好ましい。
【００２５】
本発明のバチ衿型形状の付け衿（２）は地衿（２a）に半衿状の掛け衿（２b）を衿縫い合わせ線（２f）に沿って表（３）裏（４）を縫着している。地衿（２a）と掛け衿（２b）が重なり、その表（３）裏（４）の合計４枚を一緒に、衿山線（２c）と平行な衿芯止め線（２d）で縫着しているので、表（３）裏（４）の両面共に衿芯（６）の幅移動が防げ、衿山線（２c）が張りを持った美しい状態が保てる。
【００２６】
その衿芯止め線（２d）と衿山線（２c）との間に衿芯（６）を表（３）裏（４）のどちら側にでも挿入して使用できる。又、市販されている衿芯の幅は千差万別である。挿入可能な幅は４・５cm〜５・５cmだが、好ましくは４・７cm〜５・３cmであり、衿芯（６）が幅移動しない用途を考えると、より好ましくは４・９cm〜５・１cmである。
【００２７】
又、掛け衿上の衿芯止め線（２d）の端縫い部分（２ｈ）は衿芯（６）を、挿入し易くする為に、緩くカーブしている形状（７a）だが、衿山線と平行線を保ったままの端縫い（７b）でも、急カーブ状の端縫い（7c）でも良く、直線での緩いカーブ状の端縫い（７c）や鋭角状の端縫い（７d）などの角張った端縫いでも問題ない。
そして、何度も衿芯を挿入する時の耐久性を鑑みて、衿芯縫い止め線（２d）は通常の縫製より強い２度縫いが適切である。
【００２８】
そして、掛け衿の衿山線上（２c）の掛け衿先端部（２e）はバチ衿型形状の付け衿（２）の地衿（２a）と逢着されていて、衿芯（６）の出し入れ時に掛け衿先端部（２g）が衿山線上（２c）でめくり上がらないようになっている。縫着部分の長さは０．３cm〜３・０cmだが、最適なのは０・７cm〜２・５cmで、より最適なのは１.２cm〜２.２cmである。
【００２９】
又、その掛け衿（２a）の長さは、一般的な衿芯（６）の出し入れが容易に出来る背中心（２x）から３８cm〜４５cmであり、より取り出し易いのは４０cm〜４３cmである。勿論、その上から好みの半衿を掛けて使用することは可能であるし、掛け衿（２b）の汚れ防止策としては最適である。
【００３０】
さら、掛け衿（２b）として使用する生地が半衿用の生地なら、和装下着の衿（２）としてそのまま使用出来るので最適である。しかしながら、何度も洗濯をして、アイロン掛けなどをしなくても、着物の衿元を引き立たせる美しい光沢を保てる生地としては、ナイロン・アセテート・ポリエステルなどが好ましく、より好ましいのはポリエステルである。
【００３１】
又、バチ衿型形状の付け衿（２）には衿合せ固定紐（ 2i , 2j ）を体格に合わせて数カ所、衿縫い合わせ線上（２f）に逢着している。体型や着用目的に合わせて下前と上前の衿
合せ固定紐（ 2i , 2j ）を結ぶだけで左右均一で理想的な衿合わせの状態を簡単に作ることが出来る。
【００３２】
普通の体型の方や、若い方は衿合わせの位置が、顔の顎下で深く衿を合わせるが、ふくよかで、首の短い方や、衿抜きを大きく後方に取る方は、衿合わせをゆったりと下の方で合わせる等、着用者によって、衿合わせの位置が違うので、衿合わせ固定紐（ 2i , 2j ）を数カ所に逢着する。
【００３３】
先ず、１本目として普通の体格だと、付け衿（2）の背中心（2x）から３５cm〜３８cmであり、２本目のふくよかな体格の方は３９cm〜４３cmが最適である。しかし、２本以上になると、胸元で何本も紐があると絡まって、かえって着付けが遅くなる可能性がある。よって、衿合せ固定紐（ 2i , 2j ）の数は２本がふさわしく、その代わり、紐の長さに余裕を持たせることで、多少の体格の違いに応じて対応できる。
衿合せ固定紐（ 2i , 2j ）の長さは短いと結びにくいし、長いと絡んで邪魔になるので２０．５cm〜２６・５cmが好ましく、２１．５cm〜２３・５cmがより好ましい。
【００３４】
そして、衿合せ固定紐（ 2i , 2j ）の幅は０・３cm〜１・３cmが扱い易く、より結びやすいのは、０・５cm〜１・１cmである。又、生地は綿・ポリエステル・レース・ナイロン等が有るが、何度も洗濯に耐え、尚且つ固く結べてシワになりにくい等を考えると、ナイロンが最適である。
【００３５】
本発明のバチ衿型形状の付け衿（２）には背中心（２x）から衿の左右の衿肩周り（２m ，２n）に至る幅で衿抜き布（２k）を縫着し、表（３）の衿抜き固定用の紐（３l）は衿の背中心（３x）の延長線上の下方に設けられ、裏（４）の衿抜き固定用の紐は左右の衿肩周り（４m ，４n）の延長上で下方にそれぞれが縫着されている。
【００３６】
表（３）裏（４）の両面が同じよう使用出来る付け衿（２）であるが、体型や着用する着物の格や着用目的によっては従来の１箇所の衿抜き固定紐（３l）ではとても対応が出来ない。本発明のバチ衿型形状の付け衿（２）は表（３）裏（４）の両面は全く同じ形状で有るが、衿抜き固定紐（２l）の数と縫着場所が違っている。
【００３７】
勿論、表（３）は普通の体型の方用に従来の和装下着（１）の衿抜き布（１k）に縫着されているのと同様に、付け衿（２）の背中心（２x）の延長線上の下方に１箇所の衿抜き固定用の紐（３l）は設けられていて、その紐は数カ所の区切り線（３r）で縫着されて区切られている。区切り線（３r）は通常２箇所だが、色々な体型や着用の目的を考慮すると３箇所が最適である。
【００３８】
そして、裏（４）は、ふくよかな体型や、首の短い体型用で、衿抜き布（４k）は首の後方で左右の衿肩周り（ ４i , ４j ）の位置の延長線上の下方で衿抜き固定用の紐（４l）で楕円形に確定され、首を少し離れてゆったりと沿った状態で身体の前で衿合わせとなる。やはり最適な位置は３箇所で区切られている。
【００３９】
又、表（３）裏（４）の衿抜き固定紐（２l）の数や形状も多くして、表（３）を２箇所、裏（４）を３箇所としてみると、それぞれに腰紐を通す手間や時間に比べて、効果があまり期待できないので、やはり表（３）１箇所、裏（４）２箇所が最適である。
【００４０】
さらに、衿抜き固定紐（２l）の形状も多種多様である。表（３）は横幅全体を２つの区切り線（２r）で区切り、裏（４）も横幅全体を３つの区切り線（４r）で区切るように、紐を縫着するのではなく、布幅全体を横切る様に区切り線（２r）を作る。しかしながら、やはり腰紐（５）を通すのが大変困難で、実用的には無理がある。やはり衿抜き固定紐（２l）の形状が好ましい。
【００４１】
衿抜き布（２k）の幅は、通常の和装下着（１y）に縫着されているのは幅が５・５cm〜７・５cmが一般的であるが、本発明のバチ衿型形状の付け衿（２）には背中心（２x）から衿の左右の衿肩周り（２m ，２n）に至る幅で衿抜き布（２k）が逢着しているので、１５・５cm〜２３・５cmが適している。しかしながら、首の後ろの付け根（２l・２m）の延長線を下方に引き下げて衿抜き状態を固定させるので、１８・５cm〜２０・５cmが最適である。
【００４２】
そして、衿抜き布（２k）の長さは通常の和装下着（１y）に縫着されているのは長さが４５・５cm〜５０・５cmであるが、本発明のバチ衿型形状の付け衿（２）は和装下着を着用しない為の代替えの付け衿（２）なので、衿抜き布（２k）を着物の裾から簡単に引き下げる事が出来るように少し長めの５５・５cm〜６５・５cmが好ましい。
【００４３】
又、表（３）裏（４）共に、衿抜き固定用の紐（２l）は衿縫い合わせ線（２f）から７・５cm〜１１．５cmの位置から下方に向かって８・５cm〜１１・５cmの長さで縫着されているが、通過する腰紐（５）の幅を考えると、好ましいのは１０・５cm〜１２・５cmである。しかし、腰紐を通し易い１３・５cm〜１５・５cmがより好ましい。
【００４４】
生地については、バチ衿型形状の付け衿（２）の生地と同じ生地で製作されるのが最適である。
【００４５】
従来の和装下着（１y）の衿（１）と寸法や形状が同じなので、付け衿（２）の背中心（２x）の衿幅（２z）は和装下着の衿が着物の衿から出ない４．３cm〜５・４cmであり、より最適なのは挿入する衿芯（６）の最大幅を考えると４．５cm〜５・２cmである。

【符号の説明】
【００４６】
１      従来の和装下着の衿
１ａ    従来のバチ衿型形状の衿の地衿
１ｂ    従来の和装下着の半衿
１c     従来の和装下着の衿山線
１y     従来の和装下着
２      本発明のバチ衿形状の付け衿 
２ａ    本発明のバチ衿形状の付け衿 の地衿
２ｂ    本発明のバチ衿形状の付け衿 の掛け衿
２ｃ    本発明のバチ衿形状の付け衿 の衿山線上
２ｄ    本発明のバチ衿形状の付け衿 の衿芯止め線
２ｅ    本発明のバチ衿形状の付け衿の掛け衿先端部
２ｆ    本発明のバチ衿形状の付け衿の衿縫い合わせ線
２ｇ    本発明のバチ衿形状の付け衿の地衿と掛け衿先端部の縫着部分
２ｈ    本発明のバチ衿形状の付け衿の掛け衿の端縫い部分
２ｉ    本発明のバチ衿形状の付け衿の普通の体型の方用の等衿合わせ固定紐
２ｊ    本発明のバチ衿形状の付け衿のふくよかな方用の衿合わせ固定紐
２ｋ    本発明のバチ衿形状の付け衿に縫着された衿抜き布
２ｌ    本発明のバチ衿形状の付け衿の表に縫着された衿抜き布の衿抜き固定紐
２m，２n  本発明のバチ衿形状の付け衿の衿肩明  
２ｐ    本発明のバチ衿形状の付け衿の衿先
２ｘ    本発明のバチ衿形状の付け衿の背中心
２ｚ    本発明のバチ衿形状の付け衿の背中心の衿幅
２ｒ    付け衿に縫着された衿抜き布の衿抜き固定紐の区切り線
３ａ    本発明のバチ衿形状の付け衿の表の地衿
３ｂ    本発明のバチ衿形状の付け衿の表の掛け衿
３ｃ    本発明のバチ衿形状の付け衿の衿山線
３ｄ    本発明のバチ衿形状の付け衿の表の衿芯止め線      
３ｋ    本発明のバチ衿形状の付け衿の表の衿抜き布    
３ｌ    本発明のバチ衿形状の付け衿の表の衿抜き布に縫着している衿抜き紐
３m，３n  本本発明のバチ衿形状の付け衿の表の発明の表の衿肩明
３ｒ    本発明のバチ衿形状の衿付け衿の表の 衿抜き布に縫着している衿抜き紐の区切り線
３ｘ    本発明のバチ衿形状の付け衿の表の背中心
４ａ    本発明のバチ衿形状の付け衿の表の地衿
４ｂ    本発明のバチ衿形状の付け衿の表の掛け衿
４ｃ    本発明のバチ衿形状の付け衿の衿山線
４ｄ    本発明のバチ衿形状の付け衿の表の衿芯止め線      
４ｋ    本発明のバチ衿形状の付け衿の表の衿抜き布    
４ｌ    本発明のバチ衿形状の付け衿の表の衿抜き布に縫着している衿抜き紐
４m，４n  本本発明のバチ衿形状の付け衿の表の発明の表の衿肩明
４ｒ    本発明のバチ衿形状の衿付け衿の表の 衿抜き布に縫着している衿抜き紐の区切り線
４ｘ    本発明のバチ衿形状の衿付け衿の表の背中心
５      腰紐    
６      従来の衿芯
７ａ    本発明のバチ衿形状の付け衿の衿芯止め線の端縫いが緩やかなカーブの状態である
７ｂ    本発明のバチ衿形状の付け衿の衿芯止め線の端縫いが直線の緩いカーブの状態である。      
７ｃ    本発明のバチ衿形状の付け衿の衿芯止め線の端縫いが急カーブの状態である。
７ｄ    本発明のバチ衿形状の付け衿の衿芯止め線の端縫いが鋭角状の端縫いである。
８      特許文献1の発明のバチ衿型形状の衿芯である。
８ｂ    和装下着の半衿である。        
８ｃ    和装下着の衿の衿山線
８e，８f  和装下着の両方の衿肩明
８ｇ    和装下着の衿と半衿の隙間に左右から挿入されたバチ衿型形状の衿芯が重なっている状態である。
８m ，８n  和装下着の２つの衿肩明
８ｘ    和装下着の背中心
９ａ    和装下着の地衿である。
９ｂ    和装下着の地衿カバーである。
９ｃ    和装下着の衿山線である。
９ｄ    特許文献２の発明の和装下着の衿の衿芯止め線である。
９ｘ    和装下着の背中心の位置
【図１】
2020063524.tif 000003
【図２】
2020063524.tif 000004
【図３】
2020063524.tif 000005
【図４】
2020063524.tif 000006
【図５】
2020063524.tif 000007
【図６】
2020063524.tif 000008
【図７】
2020063524.tif 000009
【図８】
2020063524.tif 000010
【図９】
2020063524.tif 000011
【図１０】
2020063524.tif 000012
【図１１】
2020063524.tif 000013
【図１２】
2020063524.tif 000014
【図１３】
2020063524.tif 000015
【図１４】
2020063524.tif 000016
【図１５】
2020063524.tif 000017
【図１６】
2020063524.tif 000018
【図１７】
2020063524.tif 000019
【図１８】
2020063524.tif 000020
【図１９】
2020063524.tif 000021
【図２０】
2020063524.tif 000022
【図２１】
2020063524.tif 000023
【図２２】
2020063524.tif 000024
【図２３】
2020063524.tif 000025